【事件の表示】
　特許第２９５６１４６号「ディスクカートリッジ並びに記録及び／又は再生装置」の請求項１、２に係る特許に対する特許異議の申立てについて、次のとおり決定する。
【結　論】
　訂正を認める。
　特許第２９５６１４６号の請求項１に係る特許を取り消す。
　同請求項２に係る特許を維持する。
【理　由】
１．手続きの経緯
　特許出願　　　　　平成２年７月１０日
　特許権設定登録　　平成１１年７月２３日
　特許異議の申立て　平成１２年４月４日
　　　（異議申立人高塚ちはる）
　取消理由通知　　　平成１２年６月５日
　特許異議意見　　　平成１２年８月２１日
　訂正請求　　　　　平成１２年８月２１日
　
２．訂正の適法性
（１）本件発明
　訂正特許明細書の請求項１、２に係る発明（以下、「本件発明１、２」という。）は、その特許請求の範囲の請求項１、２に記載された次のとおりのものである。
「【請求項１】基板上に記録層が形成され情報信号の書き込み及び／又は読出しが可能とされた円盤状の記録媒体が
上ハーフと下ハーフとから構成された
　上記カートリッジは、少なくとも
上記下ハーフの全体又は上記下ハーフの一側縁近傍の
を用いて一体的に形成され上記記録媒体の基板と同一の材料により形成された部分が温度検出部とされて
【請求項２】
基板上に記録層が形成され情報信号の書き込み及び／又は読出しが可能とされた円盤状の記録媒体が上ハーフと下ハーフとから構成されたカートリッジに回転可能に収納されてなり、上記カートリッジの少なくとも上記下ハーフの全体又は上記下ハーフの一側縁近傍の一部が上記記録媒体の基板と同一の材料を用いて一体的に形成されてなるディスクカートリッジが
　
上記ディスクカートリッジの下ハ−フに対応する位置に設けられ、
（２）訂正の目的の適否、新規事項の有無及び特許請求の範囲の拡張・変更の存否
　上記特許請求の範囲は、上記請求項の記載事項中、下線部の構成を付加して構成要件を限定したものであって、上記訂正は、特許請求の範囲の減縮に該当し、新規事項の追加に該当せず、実質的に特許請求の範囲を拡張又は変更するものではない。
（３）その他の訂正について
　上記特許請求の範囲の減縮に伴い、明細書の明りょうでない記載の釈明をしたものであって、新規事項の追加に該当せず、実質的に特許請求の範囲を拡張又は変更するものではない。
（４）むすび
　以上のとおりであるから、上記訂正請求は、特許法第１２０条の４第２項及び同条第３項で準用する第１２６条第２〜４項の規定に適合するので、当該訂正を認める。
　
３．特許異議申立ての理由の概要
　異議申立人高塚ちはるは、特許請求の範囲の請求項１，２に係る発明は、甲第１〜４号証に記載された発明に基いて、当業者が容易に発明をすることができたものであるので、特許法第２９条第２項の規定により、特許を受けることができないものであるから、その特許は取り消されるべきものである旨主張している。
　
４．当審の判断
（１）引用刊行物
　当審が、取消理由通知で引用した刊行物１（実願昭５９−１９５７５６号（実開昭６１−１１１０６８号）のマイクロフィルム：甲第１号証）には、「第１図は樹脂平均分子量が１８，０００から２０，０００であるポリカーボネイト樹脂により形成された本考案に係る光ディスクカートリッジの一実施例の外観斜視図である。この光ディスクカートリッジ１は第２図の断面図に示すように上半分と下半分から成り、その内部に光ディスク２が配置されている。そして該光ディスク２を回転駆動するための開口４と光学式記録あるいは再生のための窓５が設けられている。上記光ディスク２は駆動系３によって高速回転が可能となっている。」及び「上記光ディスクは分子量が約１５，０００のポリカーボネイト樹脂で形成されている」（［実施例］の項及び第１，２図）ことが、
　同刊行物２（特開平１−１６６３４６号公報：甲第２号証）には、「また、光ディスク基板材料として一般的に用いられるポリカーボネートは、」（〔発明が解決しようとする問題点〕の項）及び「１は光ディスク基板でありポリカーボネートを射出成形したものである。」（〔実施例〕の項及び第１図）ことが、
　同刊行物３（「光ディスク」　電子情報通信学会編、森昌文・工学博士久保高啓共著、株式会社オーム社昭和６３年５月１０日発行、第９１頁：甲第３号証）には、「直径１２cm，厚さ１．２mmのプラスチック（ポリカーボネート）円板で，片面のみに信号が記録されている。」（「４．２．１ディスク」の欄）ことが、
　同刊行物４（特開平２−９１８１７号公報：甲第４号証）には、「（１）特定温度以上に上昇する事によって光学的性質が変化する記録媒体に、光ビームを照射して情報の記録・再生を行なう光記録再生方式において、記録・再生動作中の記録媒体表面温度を検知する手段と、この検知された媒体温度と前記特定温度との差の絶対値に対して増加する信号を発生する手段と、この発生された信号を用いて前記記録・再生用光ビームの照射パワ−を制御する手段とを具備したことを特徴とする光記録・再生パワー制御方式。」（「特許請求の範囲」の欄）、「本発明は上記した従来の光熱記録技術の有する問題点に鑑みてなされたものであり、記録・再生動作中の媒体表面温度Ｔａを検知し、これと最適記録温度 Ｔｏｐｔとの差に相当する信号によって、記録レーザ照射パワーＰｏｐｔ＝Ｋ（ Ｔｏｐｔ−Ｔａ）を制御し、又、再生パワーＰRがＰRＣ＝Ｋ（Ｔｃ−Ｔａ ）で与えられる臨界値よりも上昇しない様に適正な値に制御する事によって、照射パワー過多あるいは過少による記録ピット形状の最適値からのずれや再生動作中の記録ピットの損傷を防止する光記録・再生レーザ制御方式を提供する事をその目的としている。」（（発明の解決しようとする課題）の項）、「温度検知手段は前述した実施例以外にも、例えば熱電対を用いる方法、IＲ検出器を用いる方法等幅広く採用できる。熱電対を用いる場合には、ディスク基板と同じ熱容量のブロック中に熱電対を埋設しディスクに近接させて配置すれば間接的ではあるが媒体温度がモニターでき、例えば熱電対を埋設するブロックはディスクカートリッジに設置しておき端子を適当な位置にだしておき、カートリッジ装着時にドライブの温度検出回路に接続される様にしておけば、ドライブの大型化は防止できる。」（（実施例）の項）及び「１… 光ヘッド、２ …検出系、３，５ …差分回路、４，１５…演算回路、６…レーザ駆動系、７…レーザ、８，１６…記録媒体、１０…基板、１１…ディスク回転柚、１２ …微分回路、１３ …割算器、１４…メモリ。」（「図面の簡単な説明」の欄及び第１，３図）が、それぞれ記載されている。
（２）本件発明１について
　そこで、本件発明１と刊行物１に記載された発明とを対比すると、後者の「光ディスク」、「光ディスク」、「上半分」、「下半分」、「下半分」、「ポリカーボネイト樹脂」及び「光ディスクカートリッジ」は、それぞれ前者の「基板」、「円盤状の記録媒体」、「上ハーフ」、「下ハーフ」、「少なくとも上記下ハーフの全体又は上記下ハーフの一側縁近傍の一部」、「同一の材料」及び「ディスクカートリッジ」に相当するので、両者は「基板上に記録層が形成され情報信号の書き込み及び／又は読出しが可能とされた円盤状の記録媒体が上ハーフと下ハーフとから構成されたカートリッジに回転可能に収納されてなり、上記カートリッジは、少なくとも上記下ハーフの全体又は上記下ハーフの一側縁近傍の一部が上記記録媒体の基板と同一の材料を用いて一体的に形成され上記記録媒体の基板と同一の材料により形成された部分が特定機能部とされてなるディスクカートリッジ。」である点で共通し、次の点で一応相違する。
　即ち、上記特定機能が、前者では、温度検出であるのに対して、後者では、温度検出であるかどうか不明である点。
　よって、上記相違点について検討する。
後者は、上記の如く上記特定機能以外の構成が、前者と同一であるから、後者の上記記録媒体の基板と同一の材料により形成された部分も、前者の当該部の機能である温度検出機能を有することは理の当然であって、上記相違点は、実質的には相違点ではなく一致点である。
　以上のとおり、上記相違点は実質的に相違点ではなく一致点であるから、前者は、後者と同一であるといえる。
（３）本件発明２について
　次に、本件発明２と刊行物１〜４に記載された発明とを対比すると、後者のいずれも少なくとも前者の必須の構成である「上記ディスクカートリッジの下ハ−フに対応する位置に設けられ、上記カートリッジの記録媒体の基板と同一材料よりなる部分に接触して、該部分の温度を検出する温度検出機構を備えてなる」構成を具備していない。
　そして、前者は上記必須の構成を具備することにより、後者のいずれからも予想できない「ディスクカートリッジを装着したときに、このディスクカートリッジの記録媒体の基板と同一材料で形成された部分に接触して、該部分の温度を検出する温度検出機構が設けられているので、瞬時にしてこの部分の温度、つまり記録媒体の温度を検出することができる。したがって、この検出結果に基づいて、レーザパワーを制御すれば、記録媒体に対して情報信号の良好な記録・再生が行える。」という明細書記載のとおりの特有の作用効果を奏するものであるから、前者が後者から容易に発明をすることができたものであるとも、前者が後者のいずれかと同一であるともすることはできない。
　
５．むすび
　以上のとおりであるから、本件発明１は、上記刊行物１に記載された発明と同一である。したがって、本件発明１の特許は特許法第２９条第１項第３号の規定に違反してされたものであり、同法第１１３条第２号に該当し、取り消されるべきものである。
　また、本件発明２の特許については、取消理由を発見しない。
　よって、結論のとおり決定する。
【異議決定日】
平成１３年２月１６日（２００１．２．１６）
【訂正の要旨】
訂正の要旨
▲１▼訂正事項ａ
　特許第２９５６１４６号明細書の特許請求の範囲の請求項１を、
「基板上に記録層が形成され情報信号の書き込み及び／又は読出しが可能とされた円盤状の記録媒体が上ハーフと下ハーフとから構成されたカートリッジに回転可能に収納されてなり、
　上記カートリッジは、少なくとも上記下ハーフの全体又は上記下ハーフの一側縁近傍の一部が上記記録媒体の基板と同一の材料を用いて一体的に形成され上記記録媒体の基板と同一の材料により形成された部分が温度検出部とされてなるディスクカートリッジ。」
と訂正する。
▲２▼訂正事項ｂ
　同書の特許請求の範囲の請求項２を
「基板上に記録層が形成され情報信号の書き込み及び／又は読出しが可能とされた円盤状の記録媒体が上ハーフと下ハーフとから構成されたカートリッジに回転可能に収納されてなり、上記カートリッジの少なくとも上記下ハーフの全体又は上記下ハーフの一側縁近傍の一部が上記記録媒体の基板と同一の材料を用いて一体的に形成されてなるディスクカートリッジが装着され、このディスクカートリッジの記録媒体に対しで情報信号の記録及び／又は再生を行う記録及び／又は再生装置であって、
　上記ディスクカートリッジの下ハーフに対応する位置に設けられ、上記カートリッジの記録媒体の基板と同一材料よりなる部分に接触して、該部分の温度を検出する温度検出機構を備えてなる記録及び／又は再生装置。」
と訂正する。
▲３▼訂正事項ｃ
　同書、第６頁第１８行〜第１９行（特許第第２９５６１４６号公報、第４欄第２２行）に亘って記載される「カートリッジ」を「上ハーフと下ハーフとから構成されたカートリヅジ」と訂正する。
▲４▼訂正事項ｄ
　同書、第６頁第１９行〜第７頁第３行（同公報、第４欄第２３行〜第２５行）に亘って記載される「上記カートリッジ・・・ものである。」を「上記カートリッジは、少なくとも上記下ハーフの全体又は上記下ハーフの一側縁近傍の一部が上記記録媒体の基板と同一の材料を用いて一体的に形成され上記記録媒体の基板と同一の材料により形成された部分が温度検出部とされてなるものである。」と訂正する。
▲５▼訂正事項ｅ
　同書、第７頁第７行（同公報、第４欄第２９行）の「であって、」と「上記カートリッジ」との間に「上記ディスクカートリッジの下ハーフに対応する位置に設けられ、」を加入する。
▲６▼訂正事項ｆ
　同書、第７頁第１３行〜同頁第１４行（同公報、第４欄第３５行〜第３６行）に亘って記載される「カートリッジ・・・からなり、」を「カートリッジの少なくとも下ハーフの全体又は下ハーフの一側縁近傍の一部が記録媒体の基板と同一の材料を用いて一体的に形成され当該記録媒体の基板と同一の材料により形成された部分を温度検出部とし、」と訂正する。
▲７▼訂正事項ｇ
　同書、第１３頁第第１４行〜同頁第１８行（同公報、第６欄第４５行〜第４８行）に亘って記載される「あるいは、・・・してもよい。」を削除する。
▲８▼訂正事項ｈ
　同書、第１８頁第３行〜同頁第５行（同公報、第８欄第６行〜第８行）に亘って記載される「カートリッジ・・・いるので、」を「カートリッジの少なくとも下ハーフの全体又は下ハーフの一側縁近傍の一部が記録媒体の基板と同一の材料を用いて一体的に形成され当該記録媒体の基板と同一の材料により形成された部分を温度検出部としているので、」と訂正する。
（５４）【発明の名称】
ディスクカートリッジ並びに記録及び／又は再生装置
（５７）【特許請求の範囲】
（１）基板上に記録層が形成され情報信号の書き込み及び／又は読出しが可能とされた円盤状の記録媒体が
上ハーフと下ハーフとから構成された
　上記カートリッジは、少なくとも
上記下ハーフの全体又は．上記下ハーフの一側縁近傍の
を用いて一体的に形成され上記記録媒体の基板と同一の材料により形成された部分が温度検出部とされて
（２）
基板上に記録層が形成され情報信号の書き込み及び／又は読出しが可能とされた円盤状の記録媒体が上ハーフと下ハーフとから構成されたカートリッジに回転可能に収納されてなり、上記カートリッジの少なくとも上記下ハーフの全体又は上記下ハーフの一側縁近傍の一部が上記記録媒体の基板と同一の材料を用いて一体的に形成されてなるディスクカートリッジが
　
上記ディスクカートリッジの下ハーフに対応する位置に設けられ、
【発明の詳細な説明】
〔産業上の利用分野〕
　本発明は、情報信号の書き込み及び／又は読出しが可能とされた円盤状の記録媒体を収納してなるディスクカートリッジに関し、さらにこのディスクカートリッジを装着してカートリッジ内の記録媒体に対し情報信号の記録または再生あるいは記録再生の両方（以下、単に記録・再生という。）を行う記録及び／又は再生装置に関する。
〔発明の概要〕
　本発明は、情報信号の書き込み及び／又は読出しが可能とされた円盤状の記録媒体がカートリヅジに回転可能に収納されてなるディスクカートリッジにおいて、少なくともカートリッジの外周面の一部を記録媒体の基板と同一材料で形成することにより、カートリッジでその内部に収納される記録媒体の温度がわかるようにしようとするものである。
　さらに本発明は、上記ディスクカートリッジを装着してこのディスクカートリッジの記録媒体に対して情報信号の記録・再生を行う記録及び／又は再生装置において、上記カートリッジの記録媒体の基板と同一材料で形成された部分の温度を検出することにより、該記録媒体の正確な温度を検出し、この検出結果に基づいて最適条件で記録・再生が行えるようにしようとするものである。
〔従来の技術〕
　磁気的または光学的あるいは光磁気的な手段によって、情報信号の書き込みまたは読出し、あるいは書き込みと読出しの両方が可能とされた記録媒体においては、書き込み時または読出し時の媒体の温度が記録・再生に大きく影響することから重要なものとなっている。
　例えば、光磁気ディスクにおいては、記録時，消去時は磁性薄膜をキューリー点以上に昇温させる必要があることから高いレーザパワーが要求され、再生時は記録された情報が消磁しない程度の比較的低いレーザパワーが要求される。そして、これらレーザパワーは、その記録媒体の温度によって決められ、つまり最適な記録・再生が行われるような大きさに設定される必要がある。例えば、記録媒体のある温度において記録時のレーザパワーを最適な条件としても、媒体の温度変化により、記録時のレーザパワーが低過ぎたり、高過ぎたりし、良好な磁化の反転が行えない場合がある。同様に、再生時，消去時のレーザパワーが大き過ぎたり、小さ過ぎたりすると、記録されていた情報信号が消磁したり、消し残りが生じたりする場合がある。
　そこで従来、記録媒体の温度を検出するために、カートリッジに小孔を設け、この小孔を通して装置側に設けた放射温度計等により、該記録媒体の温度を検出し、記録媒体の温度変化に応じて最適なレーザパワーを照射することが行われている。
　ところが、この手法では、小孔からゴミやほこり等がカートリッジ内に入り込み、情報信号のエラーが生じ、良好な記録・再生が行えない。このため、必要のないときには小孔を塞ぐような構成とすることも考えられるが、このようにすると小孔を塞ぐ部品やこの部品をスライドさせる構造が必要となり、また装置側ではその部品をスライドさせる駆動機構が必要となり、構成部品が増えコスト高となる。また、放射温度計では、常温，例えば３０℃〜４０℃ではあまり正確な温度が検出できない等の問題もある。
　また、この他の手法として、例えば、特開平１−１９１３２９号公報に開示されるように、記録媒体の温度を検出する温度センサを光学ヘッドに一体的に保持させて、この光学ヘッドとともに記録媒体の径方向に移動させるようにして、該記録媒体の温度検出を行うようにしたものが提案されている。
　しかしながら、この手法では、温度センサと記録媒体との間に間隙が設けられているため、記録媒体の正確な温度検出ができない。したがって、記録媒体の温度変化に応じた最適なレーザパワーを照射することができず、良好な情報信号の記録・再生が望めない。
〔発明が解決しようとする課題〕
　そこで本発明は、かかる従来の実情に鑑みて提案されたものであって、記録及び／又は再生装置に装着されて、カートリッジでその内部に収納される記録媒体の温度がわかるディスクカートリッジを提供することを目的とするとともに、簡単な構造でゴミやほこり等の塵埃の侵入が防止できるディスクカートリッジを提供することを目的とする。
　さらに本発明は、装着したディスクカートリッジの記録媒体の温度が正確に検出でき、この検出結果に応じて最適条件で記録・再生が行える記録及び／又は再生装置を提供することを目的とする。
〔課題を解決するための手段〕
　本発明のディスクカートリッジは、上述の目的を達成するために提案されたものであり、基板上に記録層が形成され情報信号の書き込み及び／又は読出しが可能とされた円盤状の記録媒体が上ハーフと下ハーフとから構成されたカートリッジに回転可能に収納されてなり、上記カートリッジは、少なくとも上記下ハーフの全体又は上記下ハーフの一側縁近傍の一部が上記記録媒体の基板と同一の材料を用いて一体的に形成され、上記記録媒体の基板と同一の材料により形成された部分が温度検出部とされてなる。
　さらに本発明は、上記ディスクカートリッジが装着され、このディスクカートリッジの記録媒体に対して情報信号の記録及び／又は再生を行う記録及び／又は再生装置であって、上記ディスクカートリッジの下ハーフに対応する位置に設けられ、上記カートリッジの記録媒体の基板と同一材料よりなる部分に接触して、該部分の温度を検出する温度検出機構を備えてなることを特徴とするものである。
〔作用〕
　第１の発明にかかるディスクカートリッジにおいては、カートリッジの少なくとも下ハーフの全体又は下ハーフの一側縁近傍の一部が記録媒体の基板と同一の材料を用いて一体的に形成され当該記録媒体の基板と同一の材料により形成された部分を温度検出部とし、このディスクカートリッジを第２の発明にかかる記録及び／又は再生装置に装着した場合に、上記記録媒体の基板と同一材料よりなる部分にこの装置に設けられる温度検出機構が接触し、この温度検出機構によって該部分の温度が検出される。このときの温度は、該部分が記録媒体の基板と同一材料よりなることから、当該記録媒体の温度と略同じ温度となる。したがって、本発明のディスクカートリッジにおいては、カートリッジでその内部に収納されている記録媒体の温度がわかる。
　また、このディスクカートリッジにおいては、温度検出用の小孔等が設けられていないので、ゴミやほこり等の塵埃からの記録媒体の汚染が防止される。
　第２の発明にかかる記録及び／又は再生装置においては、第１の発明にかかるディスクカートリッジを装着したときに、カートリッジの記録媒体の基板と同一材料で形成された部分に接触して、該部分の温度を検出する温度検出機構が設けられているので、瞬時にしてこの部分の温度が検出される。
〔実施例〕
　以下、本発明を適用した具体的な実施例について説明する。
　先ず、第１の発明を適用したディスクカートリッジの実施例について説明する。
　本実施例のディスクカートリッジは、第１図及び第２図に示すように、基板上に記録層が形成され情報信号の書き込みまたは読出し、あるいは書き込みと読出しの両方が可能となされた円盤状の記録媒体となるディスク（１）と、このディスク（１）を回転可能に収納するカートリッジ（２）とを有して構成される。
　上記ディスク（１）は、例えば光ディスクや光磁気ディスクあるいはフロッピーディスク等の如く、少なくとも一方の面に記録層を有してなり、光学的または光磁気的あるいは磁気的な手段によってこの記録層に情報信号の書き込みまたは読出し、あるいは書き込みと読出しの両方が行われるようになされたものである。このディスク（１）の中央部には、後述する記録及び／又は再生装置に設けられるディスクテーブル上にこのディスク（１）をチャッキングするためのチャッキングハブ部（１ａ）が設けられている。
　上記カートリッジ（２）は、上記ディスク（１）を内部に収納し得る程度の大きさとなされた矩形状の筐体，つまり上ハーフ（２ａ）と下ハーフ（２ｂ）とから構成されている。そして、このカートリッジ（２）は、上記上ハーフ（２ａ）と下ハーフ（２ｂ）を突合わせ結合することで構成され、その内部にディスク（１）を回転可能に収容するようになっている。
　また、上記上ハーフ（２ａ）と下ハーフ（２ｂ）には、カートリッジ（２）の一側縁，つまり記録及び／又は再生装置に装着される際の挿入方向の側縁より中央部に亘る長穴状の開口部（３ａ），（３ｂ）がそれぞれ対向して設けられている。したがって、これら開口部（３ａ），（３ｂ）を通して、前記カートリッジ（２）内に収納されるディスク（１）がその内外周に亘って外方に臨まされるようになされている。なお、このディスク（１）の中央に設けられるチャッキングハブ部（１ａ）もこの開口部（３ａ），（３ｂ）によって外方に臨まされている。
　また、上記カートリッジ（２）には、このカートリッジ（２）に対し移動可能となされ、上記開口部（３ａ），（３ｂ）を開閉可能となすシャッタ部材（４）が設けられている。上記シャッタ部材（４）は、例えば金属や剛性樹脂等の材料よりなる薄板が、上記カートリッジ（２）の前方側部分を上下より挟持するように略コ字状に屈曲されて形成されている。すなわち、このシャッタ部材（４）は、前記上ハーフ（２ａ）の主面と対向する上板部（４ａ）と、下ハーフ（２ｂ）の主面と対向する下板部（４ｂ）と、これら上板部（４ａ）と下板部（４ｂ）とを連設する前面板部（４ｃ）とを有してなっている。
　上記シャッタ部材（４）は、上記カートリッジ（２）に対し、前面板部（４ｃ）を該カートリッジ（２）の前端部分に支持され、この前端部分に沿って一側側の位置より他側側の位置に亘って図中矢印Ａで示す方向に移動可能となされている。また、このシャッタ部材（４）は、記録及び／又は再生装置に装着されたとき以外の状態では、カートリッジ（２）内に設けられた捩じりコイルバネ（図示は省略する。）によって弾性付勢されて、前記開口部（３ａ），（３ｂ）を閉蓋するようになっている。したがって、通常の状態では、このシャッタ部材（４）によってカートリッジ（２）内への塵埃の侵入が防止されるとともに、外力等に対してもディスク（１）が保護される。
　特に、本実施例のディスクカートリッジにおいては、カートリッジ（２）内に収納されるディスク（１）の温度を検出するために、誤消去防止操作釦（５）とは反対側の下ハーフ（２ａ）の一側縁近傍部に、該ディスク（１）の基板，つまり光ディスクや光磁気ディスク等における透明基板またはフロッピーディスク等における可撓性を有する基板と同一の材料からなる検出部（６）が設けられている。
　上記検出部（６）は、下ハーフ（２ｂ）と一体的に形成されており、後述の記録及び／又は再生装置に設けられる温度検出機構に対応した位置に設けられている。すなわち、上記検出部（６）は、ディスク（１）の基板と同一の材料によって、上記温度検出機構と接触する部分のみが二色成形されて形成されてなっている。なお本実施例では、上記検出部（６）は、ディスク（１）の基板と同じポリカーボネート樹脂とされている。
　そして、この検出部（６）には、上記温度検出機構が接触するようになされており、該部分の温度が瞬時に検出されるようになっている。このときの温度は、上記検出部（６）がディスク（１）の基板と同一材料からなるため、略ディスク（１）の温度と同じ温度となる。つまり、この検出部（６）の温度を検出すれば、そのときのディスク（１）の温度が瞬時にわかるようになっている。
　なお本実施例では、温度検出機構と接触する部分のみを二色成形によってディスク（１）の基板と同一材料で形成し、これを検出部（６）としたが、例えば、下ハーフ（２ａ）全体をディスク（１）の基板と同一材料で形成するようにしてもよい。
　次に、上述のように構成されたディスクカートリッジを装着させ、このディスクカートリッジのディスク（１）に対して情報信号の記録下ハーフ（２ａ）全体をディスク（１）の基板と同一材料で形成する・再生を行う、第２の発明にかかる記録及び／又は再生装置の具体的な実施例について説明する。なお本実施例では、光磁気ディスクに対して記録・再生を行う装置として説明する。
　本実施例の装置においては、第３図に示すように、半導体レーザ（７）から出射したレーザビームは、コリメータレンズ（８）で平行光となり、ビーム整形プリズム（９）及び偏光ビームスプリッタ（１０）を透過し、対物レンズ（１１）でディスク（１）、すなわち光磁気ディスクしに微小なスポットとして結像される。そして、光磁気ディスクより反射された光は、再び対物レンズ（１１）を通り、偏光ビームスプリッタ（１０）で反射されて、媒体への入射光と分離される。この反射光，つまり戻り光は更にセンサーレンズ（１２）を通り、ビームスプリッタ（１３）で２分割されて、各々信号用センサ（１４）及びサーボ用センサ（１５）に集束される。信号用センサ（１４）の前には、偏光板（１６）が設けられ、磁気光学効果による偏光状態の変化を強度変調に変換する。サーボ用センサ（１５）は、非点収差法及びブッシュプル法等の周知の方法でフォーカシング信号及びトラッキング信号を検出する。検出されたこれらのサーボ信号は、レンズアクチュエータ（図示は省略する。）にフィードバックされ、対物レンズ（１１）を駆動することによって、オートフォーカシング及びオートトラッキングが行われる。
　そして、この装置に設けられるスピンドルモーター（１７）に、前記ディスクカートリッジのカートリッジ（２）内に収納されたディスク（１）のチャッキングハブ部（１ａ）が係合し、該ディスク（１）がスピンドルモーター（１７）と共に回転するようになっている。
　また、このディスクカートリッジのカートリッジ（２）に設けられた検出部（６）に対応する位置には、この検出部（６）に接触してこの部分の温度を検出する温度検出機構である温度センサ（１８）が設けられている。この温度センサ（１８）は、例えば装置本体のシャーシ（１９）等の上に設けられる圧縮バネ（２０）の先端に設けられ、ディスクカートリッジのローディングに伴って前記検出部（６）に対して接離する方向に上下動するようになされている。したがって、ディスクカートリッジがローディングされる前の状態では、バネ（２０）が伸び切った状態にあるが、ローディング終了後には、この温度センサ（１８）がカートリッジ（２）に押されてバネ（２０）が圧縮された状態にある。つまり温度センサ（１８）は、このバネ（２０）によってカートリッジ（２）に設けられた検出部（６）を押圧するようになっている。
　そして、上記温度センサ（１８）には、中央処理装置（２１）が接続され、該温度センサ（１８）で検出された温度がこの中央処理装置（２１）に送られるようになされている。なお、この中央処理装置（２１）には、上記温度センサ（１８）からの検出結果に基づいて、前記半導体レーザ（７）より出射するレーザパワーを制御するレーザ駆動制御回路が設けられている。
　上述のように構成された装置において、前記ディスク（１）に対し情報信号を書き込むには、ディスク（１）を挾んで対物レンズ（１１）と対向配置される磁気ヘッド（２２）により、該ディスク（１）に対しバイアス磁界を印加し、これと同時に半導体レーザ（７）よりレーザビームを照射して記録を行う領域にレーザビームを結像させて行う。このときのレーザビームは、ディスクカートリッジ（２）の検出部（６）に接触して設けられる温度センサ（１８）で検出された該検出部（６）の温度、すなわちディスク（１）と略同じ温度を基に、前記中央処理装置（２１）で制御され、記録を行うのに最適なパワーとして出力される。もちろん、このディスク（１）の記録領域に応じて媒体の温度が変化した場合でも、そのときの検出部（６）での温度が瞬時に前記温度センサ（１８）で検出され、この温度変化に基づいて記録を行うのに最適なパワーが出力される。
　同様に、再生及び消去を行う場合にも、ディスク（１）の温度に応じて最適なレーザパワーが常にディスク（１）の記録面に照射される。したがって、記録されていた情報が消磁されるようなことがなくなるとともに、消し残しが生ずることもなくなり、良好な情報信号の記録・再生が行える。
〔発明の効果〕
　以上の説明からも明らかなように、第１の発明にかかるディスクカートリッジにおいては、カートリッジの少なくとも下ハーフの全体又は下ハーフの一側縁近傍の一部が記録媒体の基板と同一の材料を用いて一体的に形成され当該記録媒体の基板と同一の材料により形成された部分を温度検出部としているので、このディスクカートリッジを第２の発明にかかる記録及び／又は再生装置に装着すると、カートリッジでその内部に収納されている記録媒体の温度がわかる。
　また、このディスクカートリッジにおいては、温度検出用の小孔等が設けられていないため、ゴミやほこり等の塵挨よりなる汚染から記録媒体を保護することができる。
　さらに、第２の発明にかかる記録及び／又は再生装置においては、第１の発明にかかるディスクカートリッジを装着したときに、このディスクカートリッジの記録媒体の基板と同一材料で形成された部分に接触して、該部分の温度を検出する温度検出機構が設けられているので、瞬時にしてこの部分の温度，つまり記録媒体の温度を検出することができる。したがって、この検出結果に基づいて、レーザパワーを制御すれば、記録媒体に対して情報信号の良好な記録・再生が行える。
【図面の簡単な説明】
　第１図は本発明を適用したディスクカートリッジの一例を示す斜視図であり、第２図は第１図のＢ−Ｂ線における断面図である。
　第３図は本発明を適用した記録及び／又は再生装置の一例を示す模式図である。
　　１・・・ディスク
　　２・・・カートリッジ
　　６・・・検出部
　　７・・・半導体レーザ
　１１・・・対物レンズ
　１９・・・温度センサ
　２２・・・中央処理装置